(57)【特許請求の範囲】
【請求項１】
端部を互いに接触させた状態で取り付けられた外壁部材に用いられる外壁部材の防水部材であって、
長尺状に構成されると共に隣接する前記外壁部材の接合部に長手方向が沿うよう前記外壁部材の内側に配設される部材に取り付けられるよう構成された基板部と、
前記接合部を構成する二つの前記外壁部材の各裏面に当接するよう構成されたシール部を有する当接部と、
前記基板部に対して折り曲げられて傾斜するように配置され、前記基板部と前記当接部とを接続すると共に、前記シール部を介して前記当接部を前記裏面に弾性的に付勢する平板状の弾性部と、を備え、
前記基板部は、前記外壁部材の内側に配設される部材に取り付けられる取付部を有しており、
前記弾性部は、前記基板部から延びる両側端部を該基板部に対して傾斜状に同じ方向に折り曲げ加工することにより構成されており、
前記基板部から前記シール部が前記裏面と当接する部分までの寸法が、前記外壁部材の内側に配設される部材と前記裏面との間の寸法よりも大きくなるよう設定されており、
前記弾性部は、前記基板部の前記両側端部を前記基板部に対して傾斜状に複数回折り曲げ加工することにより構成されている外壁部材の防水部材。
【請求項２】
前記シール部は、前記裏面に面接触可能に構成されている請求項１に記載の外壁部材の防水部材。
【請求項３】
前記シール部が、弾性体により構成されている請求項１または２に記載の外壁部材の防水部材。
【発明の詳細な説明】
【技術分野】
【０００１】
本発明は、外壁部材同士の接合部から浸入する水が、建物の構造躯体に縦材と接触することを防止するための外壁部材の防水部材に関する。
【背景技術】
【０００２】
特許文献１には、外壁部材同士の接合部のうち鉛直方向に沿う接合部から浸入した水が当該外壁部材を支持する主柱や間柱、隅柱、胴縁などの下地部材に接触することを防止するように構成された外壁部材の防水部材が記載されている。当該防水部材は、下地部材に取り付け固定される基板部と、基板部に取り付けられた防水材と、から構成されている。防水材は、基板部が下地部材に取り付け固定された際に、接合部を挟んで左右両側の外壁部材の裏面に当接するように構成されている。
【０００３】
当該防水部材によれば、コーキング材を用いることなく接合部から浸入した水の下地部材への接触を防止することができる。これにより、経年劣化したコーキング材の補修や更新等が不要となる。
【先行技術文献】
【特許文献】
【０００４】
【特許文献１】特開２００３−３２８５２９号公報
【発明の概要】
【発明が解決しようとする課題】
【０００５】
ところで、上述した防水部材では、防水材が外壁部材の裏面に当接する構成であるため、露出するコーキング材に比べて経年劣化が生じ難いものの、長期間使用されることによって当該防水材にも少なからず経年劣化が生じる。このため、上述した防水部材においても、防水性という点において、なお改良の余地がある。
【０００６】
本発明は、上記に鑑みてなされたものであり、防水性をより一層向上することができ、接合部から浸入した水が外壁部材の内側に配設される部材に接することを良好に防止することを目的の一つとする。
【課題を解決するための手段】
【０００７】
本発明の外壁部材の防水部材は、上述の目的を達成するために以下の手段を採用した。
【０００８】
本発明に係る外壁部材の防水部材の好ましい形態によれば、端部を互いに接触させた状態で取り付けられた外壁部材に用いられる外壁部材の防水部材であって、長尺状に構成されると共に隣接する外壁部材の接合部に長手方向が沿うように外壁部材の内側に配設される部材に取り付けられるように構成された基板部と、接合部を構成する二つの外壁部材の各裏面に当接するように構成されたシール部を有する当接部と、基板部に対し折り曲げられて傾斜するように配置され、基板部と当接部とを接続すると共に、シール部を介して当接部を外壁部材の裏面に弾性的に付勢する弾性部と、を備えている。ここで、本発明における「外壁部材の内側に配設される部材」とは、典型的には、主柱や間柱、隅柱が該当するが、主柱や間柱、隅柱に取り付け固定された胴縁を含む概念である。
【０００９】
本発明によれば、当接部が弾性部によって弾性的に付勢された状態で外壁部材の裏面に当接される構成であるため、当接部に経年劣化が生じても当接部の外壁部材への当接を良好に維持することができる。これにより、外壁部材の接合部における防水性をより一層向上することができる。
【００１０】
本発明に係る外壁部材の防水部材の好ましい形態によれば、基板部は、外壁部材の内側に配設される部材に取り付けられる取付部を有している。弾性部は、基板部から延びる両側端部を基板部に対して傾斜状に同じ方向に折り曲げ加工することにより構成されている。そして、基板部からシール部が外壁部材の裏面と当接する部分までの寸法が、外壁部材の内側に配設される部材と外壁部材の裏面との間の寸法よりも大きくなるように設定されている。ここで、本発明における「基板部から延びる両側端部」とは、基板部の長手方向に沿う両側端部が該当する。また、本発明における「折り曲げ加工する」態様としては、基板部から延びる両側端部を互いに近づく方向に折り曲げ加工する態様や、互いに遠ざかる方向に折り曲げ加工する態様が考えられる。
【００１１】
本形態によれば、基板部から延びる両側端部を折り曲げ加工して、基板部からシール部が外壁部材の裏面と当接するまでの寸法が外壁部材の内側に配設される部材と外壁部材の裏面との間の寸法よりも大きくなるように設定するのみの構成であるため、シール部を有する当接部を外壁部材の裏面に弾性的に当接する構成を簡易に確保することができる。また、弾性部によってシール部を有する当接部と外壁部材の裏面との距離を小さくすることができるため、当該シール部の薄型化を図ることができる。これにより、比較的コストが高い防水材の使用量を抑えることができ、コスト低減に寄与することができる。
【００１２】
本発明に係る外壁部材の防水部材の更なる形態によれば、弾性部は、基板部の長手方向に垂直な断面における断面形状が略Ｖ字状となるように基板部の両側端部を折り曲げ加工することにより構成されている。本形態によれば、基板部を略Ｖ字状に折り曲げるのみであるため、より一層簡易に弾性部を確保することができる。
【００１３】
本発明に係る外壁部材の防水部材の好ましい形態によれば、弾性部は、基板部の両側端部を基板部に対して傾斜状に複数回折り曲げ加工することにより構成されている。
【００１４】
本形態によれば、外壁部材が当接部に当接した状態で外壁部材の内側に配設される部材に取り付けられた際に、弾性部が複数個所で弾性変形する。即ち、複数個所の弾性変形による復元力が当接部に作用する。これにより、弾性部の折り曲げ部のいずれかにおいて経年劣化が生じても残りの折り曲げ部の復元力を当接部に作用させることができる。この結果、外壁部材の接合部における防水性をより一層向上することができる。
【００１５】
本発明に係る外壁部材の防水部材の更なる形態によれば、シール部は、裏面に面接触可能に構成されている。
【００１６】
本形態によれば、シール部を外壁部材の裏面に対して確実に面接触で当接させることができる。これにより、防水性をより向上することができる。
【００１７】
本発明に係る外壁部材の防水部材の更なる形態によれば、シール部は、弾性体により構成されている。本形態によれば、弾性部の弾性力に加えて、シール部自体の弾性力によってもシール部の外壁部材の裏面への当接を維持することができる。これにより、外壁部材の接合部における防水性をより一層向上することができる。
【発明の効果】
【００２０】
本発明によれば、防水性をより一層向上することができ、接合部から浸入した水が外壁部材の内側に配設される部材に接することを良好に防止することができる。
【図面の簡単な説明】
【００２１】
【図１】本発明の実施の形態に係る防水部材１の構成の概略を示す斜視図である。
【図２】本発明の実施の形態に係る防水部材１を上方から見た平面図である。
【図３】本発明の実施の形態に係る防水部材１によって接合部Ｊが防水施工された状態で外壁パネル３２および出隅材３４が胴縁５２に取り付けられた様子を示す説明図である。
【図４】外壁パネル３２および出隅材３４を胴縁５２に取り付けた際の防水部材１の様子を示す断面図である。
【図５】変形例の防水部材１０１を上方から見た平面図である。
【図６】参考例の防水部材２０１を上方から見た平面図である。
【図７】参考例の防水部材３０１を用いた防水施工の様子を示す説明図である。
【図８】変形例および参考例の防水部材４０１を上方から見た平面図である。
【図９】変形例の防水部材５０１を上方から見た平面図である。
【図１０】参考例の防水部材６０１を上方から見た平面図である。
【発明を実施するための形態】
【００２２】
次に、本発明を実施するための最良の形態を実施例を用いて説明する。
【実施例】
【００２３】
本発明の実施の形態に係る防水部材１は、図１に示すように、本体部１２と、当該本体部１２に取り付けられた防水材からなる一対のシール部２２と、を備えている。本体部１２は、長尺状の樹脂や鋼板、好ましくは長尺状のばね鋼鋼材（ＳＵＰ材）などを折曲加工することにより構成されている。
【００２４】
また、本体部１２は、図１および図２に示すように、基板部１３と、当該基板部１３の両側（図１および図２の左右方向）に傾斜状に設けられた一対の弾性部１４と、当該一対の弾性部１４の一端に設けられた一対のフランジ部１５と、を備え、長手方向に垂直な方向の断面形状がハット形に構成されている。基板部１３は、平板状に構成されており、当該基板部１３と一対の弾性部１４とによって凹状部１２ａが構成されている。基板部１３を構成する平面のうち一対の弾性部１４が延在する側とは反対側（凹状部１２ａとは反対側）の平面が後述する胴縁５２に取り付けられる取付面１３ａとされている。一対のフランジ部１５は、凹状部１２ａを挟んで長手方向に対して垂直な方向に張り出すように、即ち、互いに遠ざかる方向に延在するように構成されている。なお、一対のフランジ部１５は、基板部１３に対して平行となるように構成されている。一対のフランジ部１５は、「当接部」の一例である。  
【００２５】
一対のシール部２２は、本実施の形態では、例えば、ＥＰＤＭスポンジや塩化ビニール系などの弾性発泡樹脂から構成されている。シール部２２は、図１に示すように、略直方体に構成されており、図１および図２に示すように、一対のフランジ部１５それぞれに取り付け固定される。なお、シール部２２を構成する平面のうちフランジ部１５に当接する側の平面とは反対側（フランジ部１５に当接する側の平面に対向する側）の平面が、後述する外壁パネル３２および出隅材３４に当接する一対の当接面２２ａとされている。
【００２６】
こうして構成された防水部材１は、図２に示すように、基板部１３の取付面１３ａから一対のシール部２２の当接面２２ａまでの距離（以下、「高さｈ」という）が、外壁パネル３２および出隅材３４と胴縁５２との間に構成される所定寸法の隙間ＣＬ（図４参照）よりも若干大きくなるように設定されている。
【００２７】
次に、こうして構成された防水部材１を用いた外壁部材３０同士の接合部における防水施工について説明する。なお、本実施の形態では、外壁部材３０同士の接合部として外壁パネル３２と出隅材３４との接合部のうち鉛直方向に沿って構成される接合部Ｊにおける防水施工について説明する。なお、出隅材３４は、外壁部材３０同士が所定の角度（例えば、９０度）をもって交わることによって形成された隅（角）部をカバーする部材として構成されており、略Ｌ字型の断面形状を有している。また、外壁パネル３２および出隅材３４の接合部Ｊを構成する小口面部３２ａ，３４ａの屋外側角部には、図４に示すように、面取り加工が施されている。当該面取り加工を施すことにより、外壁パネル３２および出隅材３４を胴縁５２に留め付けた際の外観意匠性が向上する。以下、説明の便宜上、図３の紙面上方向を「上方」ないし「上側」として規定し、図３の紙面下方向を「下方」ないし「下側」として規定する。
【００２８】
まず、建物の角隅部に配置された隅柱７２の前面側（屋外側）に取り付け固定された胴縁５２に防水部材１を取り付け固定する。ここで、防水部材１は、図３に示すように、防水部材１の長手方向が胴縁５２の長手方向に沿うように取り付け固定される。より具体的には、防水部材１は、図４に示すように、基板部１３の取付面１３ａが胴縁５２に当接され、一対のシール部２２のうち一方のシール部２２の当接面２２ａが外壁パネル３２の裏面（屋内側面）に当接されると共に、他方のシール部２２の当接面２２ａ が出隅材３４の裏面（屋内側面）に当接されるように取り付けられる。即ち、防水部材１は、外壁パネル３２と出隅材３４との接合部Ｊに対向する位置に基板部１３が配置され、一対のシール部２２が接合部Ｊを挟んで両側に配置されるように胴縁５２に取り付け固定される。このとき、凹状部１２ａ、一対のフランジ部１５、一対のシール部２２および外壁パネル３２と出隅材３４の裏面によって、接合部Ｊから浸入した水を下方に流すための排水溝４０が構成される。なお、防水部材１の胴縁５２への取り付けは、例えば、接着剤や両面テープ、あるいは、釘などを用いることにより行われる。胴縁５２は、「外壁部材の内側に配設される部材」の一例である。
【００２９】
そして、図３に示すように、支持金具６２，６４を用いて適宜な方法により外壁パネル３２および出隅材３４を胴縁５２を介して隅柱７２に留め付ける。なお、外壁パネル３２および出隅材３４は、図４に示すように、胴縁５２との間に所定寸法の隙間ＣＬが設けられるように取り付けられる。当該隙間ＣＬは、外壁パネル３２および出隅材３４と胴縁５２との間の通気性および排水性を確保するために設けられる。
【００３０】
ここで、防水部材１は、高さｈが隙間ＣＬよりも若干大きい値となるように設定されているため、外壁パネル３２および出隅材３４が一対のシール部２２に当接した状態で胴縁５２に取り付けられた際に、凹状部１２ａが若干開いた状態、即ち、一対の弾性部１４が倒れ方向に弾性変形される（図４の二点鎖線から実線）。これにより、一対の弾性部１４の弾性変形による復元力が生じ、当該復元力によって一対のシール部２２が外壁パネル３２および出隅材３４の裏面に弾性的に付勢される。このため、シール部２２に経年劣化が生じたとしてもシール部２２の外壁パネル３２や出隅材３４の裏面（屋内画面）への当接を良好に維持することができる。この結果、接合部Ｊにおける防水性がより一層向上する。
【００３１】
また、一対のフランジ部１５が基板部１３に対して平行となるように構成されているため、一対のシール部２２の当接面２２ａと外壁パネル３２および出隅材３４とを確実に面接触させることができる。これにより、接合部Ｊにおける防水性がより向上する。このように、接合部Ｊにおける防水性がより一層向上するため、接合部Ｊにコーキング材を充填する工程を省略することも可能となる。なお、一対のシール部２２自体も弾性を有しているため、一対のシール部２２が外壁パネル３２および出隅材３４の裏面に当接した際に、一対のシール部２２が圧縮変形して当該圧縮変形による復元力によっても一対のシール部２２の外壁パネル３２および出隅材３４の裏面（屋内側面）への密着性が向上される。なお、接合部Ｊから浸入した水は排水溝４０に沿って下方に流れ外部に排出される。したがって、接合部Ｊから浸入した水が胴縁５２等の外壁パネル３２および出隅材３４の内側に配設された部材に接することを良好に防止することができる。
【００３２】
本実施の形態では、一対のフランジ部１５が基板部１３に対して平行となるように構成したが、これに限らない。例えば、図５の変形例の防水部材１０１に例示するように、一対の弾性部１１４と基板部１１３とにより構成される夾角αよりも一対のフランジ部１１５の仮想延長線ＶＬ１と基板部１１３の仮想延長線ＶＬ２とにより構成される夾角βの方が大きくなるように一対のフランジ部１１５を基板部１３に対して傾斜状に構成しても良い。
【００３３】
当該構成によれば、外壁パネル３２および出隅材３４が胴縁５２に取り付けられた際に、一対の弾性部１１４および一対のフランジ部１１５の両方の夾角α，βが大きくなる方向に一対の弾性部１１４および一対のフランジ部１１５が弾性変形する。即ち、一対の弾性部１１４および一対のフランジ部１１５の両方の弾性変形による復元力が一対のシール部１２２に作用する。これにより、一対の弾性部１１４および一対のフランジ部１１５のいずれか一方が経年劣化によってへたっても一対の弾性部１１４および一対のフランジ部１１５の他方の復元力を一対のシール部１２２に作用させることができる。この結果、外壁パネル３２および出隅材３４の縦接合部Ｊにおける防水性をより一層向上することができる。
【００３４】
本実施の形態および上述した変形例では、本体部１２，１１２が基板部１３，１１３、一対の弾性部１４，１１４および一対のフランジ部１５，１１５を有する構成としたが、図６の参考例の防水部材２０１に例示するように、本体部２１２は基板部２１３および一対の弾性部２１４のみを有する構成、即ち、本体部２１２の長手方向に垂直な方向の断面形状が略Ｖ字状となる構成とすることが可能である。当該構成によれば、鋼板を略Ｖ字状に折り曲げるのみであるため、防水部材２０１をより一層簡易に構成することができる。
【００３５】
本実施の形態および上述した変形例では、外壁パネル３２および出隅材３４を衝接させる態様の外壁部材３０間の防水施工に適用したが、これに限らない。例えば、外壁パネル３２および出隅材３４の接合部Ｊにコーキング材を充填する態様の外壁部材３０間の防水施工に適用することが可能である。この場合、図７に例示する参考例の防水部材３０１を用いることができる。参考例の防水部材３０１は、突出部３１６を有する点を除いて本実施の形態の防水部材１と同一の構成をしている。即ち、参考例の防水部材３０１では、図７に示すように、基板部３１３の中央部に基板部３１３に対して垂直方向に突出する突出部３１６が設けられている。
【００３６】
こうして構成された参考例の防水部材３０１を胴縁５２に取り付けると共に、外壁パネル３２および出隅材３４の裏面（屋内側面）が防水部材３０１の一対のシール部３２２に当接するように、外壁パネル３２および出隅材３４を胴縁５２に留め付ける。このとき、外壁パネル３２および出隅材３４の小口面部３２ａ，３４ａによって防水部材３０１の突出部３１６を挟み付けるように留め付ける。これにより、外壁パネル３２および出隅材３４の小口面部３２ａ，３４ａと突出部３１６とによって目地溝９０が構成される。当該目地溝９０にコーキング材９２を充填することにより外壁パネル３２および出隅材３４の接合部Ｊがシールされる。小口面部３２ａ，３４ａは、「外壁部材の各側面部」の一例である。また、目地溝９０は、「シール材を充填するための領域」の一例であり、コーキング材９２は、「シール材」の一例である。
【００３７】
当該構成においても、防水部材３０１の高さｈが隙間ＣＬよりも若干大きい値となるように設定することにより、一対の弾性部３１４の弾性変形による復元力によって一対のシール部３２２が外壁パネル３２および出隅材３４の裏面に弾性的に付勢することができる。このため、コーキング材９２に経年劣化が生じたとしても、接合部Ｊから浸入した水が胴縁５２に接触することを良好に防止することができる。また、仮にシール部３２２に経年劣化が生じたとしてもシール部３２２の外壁パネル３２や出隅材３４の裏面（屋内画面）への当接を良好に維持することができるため、接合部Ｊにおける防水性のより一層の向上を図ることができる。
【００３８】
本実施の形態および上述した変形例および参考例では、一対の弾性部１４，１１４，２１４，３１４を互いに遠ざかる方向となる傾斜角をもって折り曲げ加工したが、図８（ａ）の変形例の防水部材４０１に例示すように、一対の弾性部１４，１１４，２１４，３１４を互いに近づく方向となる傾斜角をもって折り曲げ加工しても良い。なお、図８（ｂ）の参考例に示すように、一対のフランジ部４１５はなくても良い。この場合、一対のシール部４２２は一対の弾性部４１４に取り付けられる。
【００３９】
本実施の形態および上述した変形例および参考例では、一対のフランジ部１５，１１５，３１５，４１５を互いに遠ざかる方向に延在するように構成したが、図９の変形例の防水部材５０１に例示するように、一対のフランジ部５１５を互いに近づく方向に延在するように構成しても良い。
【００４０】
本実施の形態および上述した変形例および参考例では、シール部２２，１２２，２２２，３２２，４２２，５２２を有する構成としたが、シール部２２，１２２，２２２，３２２，４２２，５２２はなくても良い。この場合、一対のフランジ部１５，１１５，３１５，４１５，５１５ないし一対の弾性部１４，１１４，２１４，３１４，４１４，５１５の少なくとも一部を外壁パネル３２および出隅材３４の裏面（屋内側面）に当接させればよい。なお、一対のフランジ部１５，１１５，３１５，４１５，５１５ないし一対の弾性部１４，１１４，２１４，３１４，４１４，５１５は、外壁パネル３２および出隅材３４の裏面（屋内側面）に面接触することができるように構成すること望ましい。
【００４１】
本実施の形態および上述した変形例では、本体部１２を折り曲げ加工することにより、シール部２２に弾性力を付勢する構成としたが、図１０の参考例の防水部材６０１に例示するように、平板状に構成された本体部６１２に一対のバネ部材８０を介して一対のシール部６２２を取り付ける構成としても良い。なお、バネ部材８０としては、板バネを用いることができる。
以上
【００４２】
本実施形態は、本発明を実施するための形態の一例を示すものである。したがって、本発明は、本実施形態の構成に限定されるものではない。
【符号の説明】
【００４３】
１，１０１，２０１，３０１，４０１，５０１，６０１  防水部材（防水部材）
１２，１１２，２１２，３１２，４１２，５１２，６１２  本体部
１２ａ，１１２ａ，５１２ａ  凹状部
１３，１１３，２１３，３１３，４１３，５１３  基板部（基板部）
１３ａ，１１３ａ，２１３ａ，３１３ａ，４１３ａ，５１３ａ  取付面（取付部）
１４，１１４，２１４，４１４，５１４  弾性部（弾性部）
１５，１１５，３１５，４１５，５１５  フランジ部（当接部）
２２，１２２，２２２，３２２，４２２，５２２，６２２  シール部（シール部）
２２ａ  当接面
３０  外壁部材（外壁部材）
３２  外壁パネル（外壁部材）
３４  出隅材（外壁部材）
３２ａ  小口面部（外壁部材の各側面部）
３４ａ  小口面部（外壁部材の各側面部）
４０  排水溝
５２  胴縁（外壁部材の内側に配設される部材）
６２  支持金具
６４  支持金具
７２  隅柱
８０  バネ部材（弾性部）
９０  目地溝（シール材を充填するための領域）
９２  コーキング材（シール材）
３１６  突出部（突出部）
ｈ  高さ（取付面から当接面までの寸法）
ＣＬ  壁パネル３２および出隅材３４と胴縁５２との間に構成される所定寸法の隙間（縦材と裏面との間の寸法）
Ｊ  接合部（接合部）
ＶＬ１  一対のフランジ部１５の仮想延長線
ＶＬ２  基板部１３の仮想延長線
【図１】
0006654356.tif 000002
【図２】
0006654356.tif 000003
【図３】
0006654356.tif 000004
【図４】
0006654356.tif 000005
【図５】
0006654356.tif 000006
【図６】
0006654356.tif 000007
【図７】
0006654356.tif 000008
【図８】
0006654356.tif 000009
【図９】
0006654356.tif 000010
【図１０】
0006654356.tif 000011